(57)【特許請求の範囲】
【請求項１】
吸収冷温水機と、蓄熱槽と、吸収冷温水機の作動に必要なエネルギの消費量を計測するエネルギ消費量計測手段と、蓄熱槽の作動に必要なエネルギの消費量を計測するエネルギ消費量計測手段と、制御手段とを備え、制御手段は、吸収冷温水機及び蓄熱槽が作動するのに必要なエネルギ消費量のコストが最小となる様に、吸収冷温水機側で降温するべき温度差と蓄熱槽側で降温するべき温度差との割合を決定する機能を備えていることを特徴とする冷房機構。
【請求項２】
吸収冷温水機と、蓄熱槽と、吸収冷温水機の作動に必要なエネルギの消費量を計測するエネルギ消費量計測手段と、蓄熱槽の作動に必要なエネルギの消費量を計測するエネルギ消費量計測手段と、制御手段とを備え、制御手段は、吸収冷温水機及び蓄熱槽が作動するのに必要な１次エネルギの消費量が最小となる様に、吸収冷温水機側で降温するべき温度差と蓄熱槽側で降温するべき温度差との割合を決定する機能を備えていることを特徴とする冷房機構。
【請求項３】
吸収冷温水機と、蓄熱槽とを有する冷房機構の制御方法において、吸収冷温水機の作動に必要なエネルギの消費量を計測する工程と、蓄熱槽の作動に必要なエネルギの消費量を計測する工程と、吸収冷温水機及び蓄熱槽が作動するのに必要なエネルギ消費量のコストが最小となる様に、吸収冷温水機側で降温するべき温度差と蓄熱槽側で降温するべき温度差との割合を決定する工程、とを有することを特徴とする冷房機構の制御方法。
【請求項４】
吸収冷温水機と、蓄熱槽とを有する冷房機構の制御方法において、吸収冷温水機の作動に必要なエネルギの消費量を計測する工程と、蓄熱槽の作動に必要なエネルギの消費量を計測する工程と、吸収冷温水機及び蓄熱槽が作動するのに必要な１次エネルギ消費量が最小となる様に、吸収冷温水機側で降温するべき温度差と蓄熱槽側で降温するべき温度差との割合を決定する工程、とを有することを特徴とする冷房機構の制御方法。
【発明の詳細な説明】
【０００１】
【発明の属する技術分野】
本発明は吸収冷温水機と氷蓄熱槽とを組み合わせた空調システム或いは冷房機構に関する。
【０００２】
【従来の技術】
図１１で示す様に、吸収冷温水機１０と、電動ヒートポンプ１で冷却される氷蓄熱槽１２とを組み合わせた冷房システムが存在する。
吸収冷温水機１０は、その出口温度ＴＡが高温であるほど、蒸発器３０の蒸発温度が高くなり、効率が向上する。
【０００３】
一方、氷蓄熱槽１２は、その出口温度(冷水出口温度ＴＢ)を低温にすることが可能であり、冷水の入り温度と出温度との差を大きくすること(冷水大温度差)が出来る。そして、「冷水大温度差」が可能となる結果として、冷水流量を減少しても冷房負荷に対処することが可能となり、冷水ポンプ容量を小さく出来ると共に、冷水配管系を小径化することが出来て、しかも、冷水搬送動力を節減することが出来る、というメリットがある。
【０００４】
ここで、図１１で示す様な冷房システムにおいて、吸収冷温水機１０入口温度ＴＩと氷蓄熱槽１２出口温度ＴＢとが一定であっても、吸収冷温水機１０の出口温度ＴＡの値により、制御が種々に変化する。従って、合目的的な最適制御を実行するに際しては、出口温度ＴＡの数値、換言すれば、吸収冷温水機１０側で降温するべき温度差と、氷蓄熱槽１２側で降温するべき温度差とを制御する必要がある。
なお、本明細書において、吸収冷温水機１０側で降温するべき温度差と、氷蓄熱層１２側で降温するべき温度差との割合を、「分担割合」と記述する場合がある。
【０００５】
しかし、従来の冷房システムでは、この様な分担割合、或いは吸収器出口側の温度等を制御するものは存在せず、吸収冷温水機側で降温するべき温度差と氷蓄熱槽側で降温するべき温度差との割合（分担割合）は、何等制御されないのが実情である。
【０００６】
【発明が解決しようとする課題】
本発明は、上述した従来技術に鑑みて提案されたものであり、上述の分担割合を制御して、合目的的な制御を実行することが出来る様な冷房機構及びその制御方法の提供を目的としている。
【０００７】
【課題を解決するための手段】
本発明の冷房機構は、吸収冷温水機（１０）と、蓄熱槽（２：例えば氷蓄熱槽）と、吸収冷温水機（１０）の作動に必要なエネルギの消費量（Ｑ、Ｗ１）を計測するエネルギ消費量計測手段（流量計３２、消費電力センサ１１）と、蓄熱槽（２）の作動に必要なエネルギの消費量を計測するエネルギ消費量計測手段（消費電力センサ１２）と、制御手段（７０）とを備え、制御手段（７０）は、吸収冷温水機（１０）及び蓄熱槽（２）が作動するのに必要なエネルギ消費量のコストが最小となる様に、吸収冷温水機（１０）側で降温するべき温度差と蓄熱槽（２）側で降温するべき温度差との割合（分担割合）を決定する機能を備えている（請求項１：図１、図２）。
【０００８】
この様な冷房機構を制御する本発明の制御方法は、吸収冷温水機（１０）と、蓄熱槽（２）とを有する冷房機構の制御方法において、吸収冷温水機（１０）の作動に必要なエネルギ（Ｑ，Ｗ１）の消費量を計測する工程（Ｓ１）と、蓄熱槽（２）の作動に必要なエネルギの消費量（Ｗ２）を計測する工程（Ｓ１）と、吸収冷温水機（１０）及び蓄熱槽（２）が作動するのに必要なエネルギ消費量のコストが最小となる様に、吸収冷温水機側で降温するべき温度差と氷蓄熱槽側で降温するべき温度差との割合を決定する工程（Ｓ３）、とを有している（請求項６：図１、図２）。
【０００９】
また、本発明の冷房機構は、吸収冷温水機（１０）と、蓄熱槽（２）と、吸収冷温水機（１０）の作動に必要なエネルギの消費量（Ｑ，Ｗ１）を計測するエネルギ消費量計測手段（流量計３２、消費電力センサ１１）と、蓄熱槽（２）の作動に必要なエネルギの消費量（Ｗ２）を計測するエネルギ消費量計測手段（消費電力センサ１２）と、制御手段（８０）とを備え、制御手段（８０）は、吸収冷温水機（１０）及び蓄熱槽（２）が作動するのに必要な１次エネルギの消費量  （Ｑと、Ｗ１及びＷ２の１次エネルギ消費量換算値）が最小となる様に、吸収冷温水機（１０）側で降温するべき温度差と蓄熱槽（２）側で降温するべき温度差との割合（分担割合）を決定する機能を備えている（請求項２：図３、図４）。
【００１０】
この様な冷房機構を制御する本発明の制御方法は、吸収冷温水機（１０）と、蓄熱槽（２）とを有する冷房機構の制御方法において、吸収冷温水機（１０）の作動に必要なエネルギの消費量（Ｑ，Ｗ１）を計測する工程（Ｓ１１）と、蓄熱槽（２）の作動に必要なエネルギ（Ｗ２）の消費量を計測する工程（Ｓ１１）と、吸収冷温水機（１０）及び蓄熱槽（２）が作動するのに必要な１次エネルギ消費量が最小となる様に、吸収冷温水機（１０）側で降温するべき温度差と蓄熱槽（２）側で降温するべき温度差との割合（分担割合）を決定する工程（Ｓ１３）、とを有している（請求項７：図３、図４）。
【００１７】
【発明の実施の形態】
以下、図１〜図１０を参照しつつ、本発明の実施形態を説明する。
【００１８】
図１、図２は本発明の第１実施形態の全体構成を示す模式図、及び、制御フローチャートである。
図１において、本発明の冷房機構は、大きなユニット単位としては、吸収冷温水機１０と、氷蓄熱槽２と、電動ヒートポンプ１と、冷房負荷Ｌ、冷房機構を制御する制御手段７０、とにより構成されている。
【００１９】
前記電動ヒートポンプ１は冷媒を冷却すると共に、冷却された冷媒を冷媒ライン３Ｉ、３Ｏを介して前記氷蓄熱槽２との間で循環させる。
また、前記氷蓄熱槽２と、前記冷房負荷Ｌと、前記吸収冷温水機１０（詳しくは、後述する吸収冷温水機１０内に設けられた蒸発器３０）は冷水循環ラインＬＬ１、ＬＬ２、ＬＬ（蒸発器３０内に内装されたライン）、ＬＬ３によりループ状に各々が接続されて、内部を冷房用冷水が循環するように構成されている。
また、冷水循環ラインＬＬ２、には冷水を循環させるための冷水ポンプ２７ｂが介装されている。
【００２０】
吸収冷温水機１０は、蒸発器３０と、吸収器２６と、凝縮器２８と、再生器２３と、これらを接続し且つ内部に熱交換流体（或いは吸収溶液、冷媒）を流過させる循環ラインＬ１、Ｌ２３、Ｌ４７、Ｌ８、Ｌ９と、溶液ポンプ２７ａとにより構成されている。
【００２１】
冷房負荷Ｌに供給されて温まった冷水は、吸収冷温水機１０の前記蒸発器３０の冷水ラインＬＬを流過する際に、液相冷媒により気化熱（潜熱）を奪われて冷却され、前記氷蓄熱槽２に戻される。
【００２２】
制御系統は、計測手段である消費電力センサ１１、１２、１３、温度センサ１４、ガス流量計３２、及び、制御手段７０と、各計測手段と制御手段７０を接続する信号ラインＳＳ１〜ＳＳ５、とによって構成される。
【００２３】
消費電力センサ１１は、吸収器２６から再生器２３に連通する吸収溶液（熱交換流体）の循環ラインＬ１に介装されて、吸収溶液を循環する溶液ポンプ２７ａの消費電力Ｗ１を計測する。
【００２４】
消費電力センサ１２は、電動ヒートポンプ１の消費電力Ｗ２を計測する。
消費電力センサ１３は、前記冷水循環ラインＬＬ２に内装された冷水ポンプ２７ｂの消費電力Ｗ３を計測する。
【００２５】
温度センサ１４は、前記吸収冷温水機１０の（蒸発器３０）出口側に介装されて、吸収冷温水機１０から出てくる冷水の温度ＴＡを計測している。
そして、ガス流量計３２は、再生器２３で吸収溶液を加熱するバーナ３１で消費される燃料ガスの消費量Ｑを計測する。
【００２６】
制御信号ラインＳＳ１は、前記消費電力センサ１１と前記制御手段７０を接続し、消費電力センサ１１によって計測された消費電力情報Ｗ１と、各センサからの入力情報に基づき制御手段７０が判断した溶液ポンプ２７ａの運転指令情報の授受を行う。
【００２７】
制御信号ラインＳＳ２は、前記消費電力センサ１２と前記制御手段７０を接続し、消費電力センサ１２によって計測された消費電力情報Ｗ２と、各センサからの入力情報に基づき制御手段７０が判断した電動ヒートポンプ１の運転指令情報の授受を行う。
【００２８】
制御信号ラインＳＳ３は、前記消費電力センサ１３と前記制御手段７０を接続し、消費電力センサ１３によって計測された消費電力情報Ｗ３と、各センサからの入力情報に基づき制御手段７０が判断した冷水ポンプ２７ｂの運転指令情報の授受を行う。
【００２９】
制御信号ラインＳＳ４は、前記温度センサ１４と前記制御手段７０を接続し、温度センサ１４によって計測された前記吸収冷温水機１０の（蒸発器３０）出口の冷水温度情報ＴＡを前記制御手段に送る。
【００３０】
制御信号ラインＳＳ５は前記流量計３２と前記制御手段７０を接続し、流量計３２によって計測された燃料ガスの消費量Ｑと、各センサからの入力情報に基づき制御手段７０が判断したガス供給量制御信号の授受を行う。
【００３１】
前記制御手段７０は、吸収冷温水機１０の出口温度ＴＡを制御することにより、冷房機構全体のエネルギ消費量コストが最小となる様に、前記吸収冷温水機１０側で降温するべき温度差と前記蓄熱槽２側で降温するべき温度差との分担割合を決定（制御）する機能を備えている。
【００３２】
吸収冷温水機１０の出口温度ＴＡを調節・制御するに当たっては、溶液ポンプ２７ａの流量（Ｗ１を制御）、バーナ３１の燃料ガス消費量（Ｑを制御）、電動ヒートポンプ１の冷熱媒体（例えばブライン）循環量（Ｗ２を制御）、等を制御して行なう。
【００３３】
次に図２を用いて（図１をも参照して）、第１実施形態の冷房機構の制御を説明する。
図２において、制御を開始して、ステップＳ１において、ガス流量計３２によりバーナ３１の燃料（ガス）消費量Ｑを計測し、消費電力センサ１１によって溶液ポンプ２７ａの消費電力Ｗ１を、消費電力センサ１２によって電動ヒートポンプ１の消費電力Ｗ２を、消費電力センサ１３によって冷水ポンプ２７ｂの消費電力Ｗ３を、各々検出する。
【００３４】
ステップＳ２に進み、その時点での電気料金、ガス料金、その他コストの単位料金を制御装置７０に入力する。
【００３５】
ステップ３に進み、制御装置７０は、ステップＳ１およびステップＳ２の情報に基づきマップ、特性曲線、特性を示す数式などにより合計コストが最低となるＴＡを決定する。この時のＴＡの値をＴＡＭＩＮとする。
【００３６】
ステップＳ４に進み、制御装置７０は、前記吸収冷温水機１０の冷水の温度ＴＡが目標値ＴＡＭＩＮに近づく様にガス流量Ｑ、及びエネルギ消費量Ｗ１、Ｗ２を制御する。
【００３７】
次のステップＳ５において制御手段７０は吸収冷温水機１０の冷水の温度ＴＡがＴＡＭＩＮに達したか否かを判断する。
温度ＴＡがＴＡＭＩＮに達しない場合には（ステップＳ５においてＮＯ）、ステップＳ４に戻り、温度ＴＡがＴＡＭＩＮに達した場合には（ステップＳ５においてＹＥＳ）、制御を終了する。
【００３８】
尚、ステップＳ３において冷房負荷Ｌ、吸収冷温水機１０、氷蓄熱槽２間で冷水を循環させる冷水ポンプ２７ｂの消費電力Ｗ３も、（コスト削減の対象として）計測されるパラメータ或いは制御パラメータに含める場合が有る。
【００３９】
係る構成を具備する第１実施形態によれば、吸収冷温水機側で降温するべき温度差と、氷蓄熱槽側で降温するべき温度差との割合を制御出来るため、吸収冷温水機及び氷蓄熱槽が作動するのに必要なエネルギコストを最小に出来る。
【００４０】
本発明の第２実施形態を図３（全体構成を示す模式図）、図４（制御フローチャート）を用いて説明する。
後述するように、第２実施形態の制御は第１実施形態の制御とは異なるので、図３の制御手段８０は、図１の制御手段７０とは異なっている。
その他の構成については、図３の実施形態と図１の実施形態とは同様である。
【００４１】
次に、制御に関して、図４のフローチャートを用いて図３を参照して説明する。
尚、本発明の第２実施形態は、図３において電動ヒートポンプ１、吸収冷温水機１０の１次エネルギ消費量が最小となる様に制御するものである。
【００４２】
図４において、制御を開始して、ステップＳ１１において、ガス流量計３２によりバーナ３１の燃料（ガス）消費量Ｑを計測し、消費電力センサ１１によって溶液ポンプ２７ａの消費電力Ｗ１を、消費電力センサ１２によって電動ヒートポンプ１の消費電力Ｗ２を、消費電力センサ１３によって冷水ポンプ２７ｂの消費電力Ｗ３を、各々検出する。
【００４３】
ステップＳ１２において、制御手段８０は燃料ガス消費量Ｑと、消費電力Ｗ１、Ｗ２（Ｗ３も包含する場合有り）の合計を１次エネルギ消費量に換算した数値との総和ｆ（Ｑ、Ｗ）を決定する。
ここで、Ｗ＝Ｗ１＋Ｗ２＋（Ｗ３）
【００４４】
次のステップＳ１３において、制御手段８０は前記１次エネルギ消費の総和ｆ（Ｑ、Ｗ）が最小となる様に、吸収冷温水機１０の出口温度ＴＡ（ＴＡ：ＴＡＣＭＩＮ）を決定する。
【００４５】
そして、次のステップＳ１４に進み、制御手段８０は吸収冷温水機１０の出口温度ＴＡが目標値ＴＡＣＭＩＮに近づく様にガス流量Ｑ、及びエネルギ消費量Ｗ１、Ｗ２（要すればＷ３も）を制御する。
【００４６】
次のステップＳ１５において制御手段８０は吸収冷温水機１０の冷水の温度が、ＴＡＣＭＩＮに達したか否かを判断する。
温度ＴＡがＴＡＣＭＩＮに達しない場合には（ステップＳ１５においてＮＯ）、ステップＳ１４に戻り、温度ＴＡがＴＡＣＭＩＮに達した場合には（ステップＳ１５においてＹＥＳ）、制御を終了する。
【００４７】
係る構成を具備する第１実施形態によれば、吸収冷温水機側で降温するべき温度差と、氷蓄熱槽側で降温するべき温度差との割合を制御出来るため、吸収冷温水機及び氷蓄熱槽が作動するのに必要な消費エネルギそのものを最小に出来る。
【００４８】
本発明の第３実施形態を図５（全体構成を示す模式図）、図６、図７、（共に制御フローチャート）を用いて説明する。
全体構成（図５）は第１実施形態（図１）に対して、制御の内容は異なるので制御手段９０の構成が図１の制御手段７０とは異なっている。それに加えて、計測手段の一部が異なっている。
その他の構成については、第３実施形態と第１実施形態とは同様である。以下において、主として、第１実施形態とは異なる点について説明する。
【００４９】
図５において、冷水循環ラインＬＬ１の氷蓄熱槽２の出口近傍には第２の温度センサー１５が介装されており冷水の氷蓄熱槽２の出口温度ＴＢを検出している。そして、該第２の温度センサ１５と制御手段９０は信号ラインＳＳ６で接続されており、検出された温度ＴＢは前記制御手段９０に送られている。
【００５０】
一方、冷房負荷Ｌには負荷センサ４３が設けられており冷房負荷を検出している。そして、該負荷センサ４３と制御手段９０は信号ラインＳＳ７によって接続されており、検出された冷房負荷Ｌは前記制御手段９０に送られている。
なお、図５の実施形態では、冷水ポンプ２７ｂに設けられた消費電力センサ１３の計測結果は、制御パラメータとしては用いない。
【００５１】
本実施形態では、吸収冷温水機１０の出口温度ＴＡ（温度センサ１４によって計測されている）は固定であり、前記氷蓄熱槽２の出口温度ＴＢを、冷房負荷Ｌに対応して、変動（主として上昇）させる制御を行うのもである。
【００５２】
次に、制御に関して、図６、７のフローチャートを用いて図５を参照して説明する。
【００５３】
図６は、冷水出口温度ＴＢを冷房負荷ＴＬに対応する温度（目標温度）ＴＢＬに近づける制御である。図６で制御を開始して、ステップＳ２１において、負荷センサ４３により冷房負荷ＴＬを検出する。
【００５４】
ステップＳ２２に進み、冷房負荷ＴＬに対応する冷水出口温度ＴＢＬを決定し、次のステップＳ２３に進む。
ステップＳ２３において、冷水出口温度ＴＢが目標温度ＴＢＬとなるように電動ヒートポンプ１を制御する。
【００５５】
次のステップＳ２４では、第２の温度センサ１５により冷水出口温度ＴＢを計測する。つぎに、ステップＳ２５に進み、制御手段９０は冷水出口温度ＴＢが目標値ＴＢＬに達したか否かを判断する。
冷水出口温度ＴＢが目標値ＴＢＬに達した場合は（ステップＳ２５においてＹＥＳ）、制御を終了して、目標値ＴＢＬに達していない場合は（ステップＳ２５においてＮＯ）、ステップＳ２１に戻り制御を繰り返す。
【００５６】
係る構成及び制御を具備する第３実施形態では、目標値ＴＢＬは冷房に必要最小限の値とすることが出来るため、過冷却とならず、氷蓄熱槽１２の負担が非常に小さくなる。
また、吸収冷温水機を安定した負荷で稼動させることが出来る。
【００５７】
本発明の第４実施形態を図８（全体構成を示す模式図）、図９（制御フローチャート）を用いて説明する。
【００５８】
図８の実施形態の制御内容は、図１の実施形態における制御とは異なるので、図８の制御手段１００の構成は、図１の制御手段７０とは異なっている。また、図８の実施形態で用いる計測手段も、図１の実施形態とは異なっている。
図８の実施形態におけるその他の構成は、第１実施形態（図１）の構成と同様である。以下において、図８、図９の実施形態が、図１の実施形態に対して異なる点を主に説明する。
【００５９】
図８において、冷水循環ラインＬＬ１の氷蓄熱槽２の出口近傍には第２の温度センサー１５が介装されており、冷水の氷蓄熱槽２の出口温度ＴＢを検出している。そして、該第２の温度センサ１５と制御手段１００は信号ラインＳＳ６で接続されており、検出された温度ＴＢは前記制御手段１００に送られている。
【００６０】
更に、冷水循環ラインＬＬ２の吸収冷温水機１０の入口近傍には第３の温度センサ４５が介装されており冷水の吸収冷温水機１０の入口温度ＴＩを検出している。そして、該第３の温度センサ４５と制御手段１００は信号ラインＳＳ８で接続されており、検出された温度ＴＩは前記制御手段１００に送られている。
【００６１】
図８の実施形態では、氷蓄熱槽２の出口温度ＴＢを固定してあり、冷房負荷Ｌに従って、吸収冷温水機１０の入口温度ＴＩが変動する（定格運転時に比較して、冷房負荷Ｌが部分負荷状態であれば、吸収冷温水機１０の入口温度ＴＩは低下する）。
【００６２】
その状態で、吸収冷温水機１０の負担が少なくなり、吸収冷温水機１０の出口温度ＴＡが固定値に維持される様に制御するものである。
具体的には、溶液ポンプ２７ａの消費電力Ｗ１、電動ヒートポンプ１の消費電力Ｗ２、再生器２３で吸収溶液を加熱するバーナ３１で消費される燃料ガス消費量Ｑを制御するものである。
【００６３】
次に、制御に関して、図９のフローチャートを用いて図８をも参照して説明する。
【００６４】
図９において制御を開始して、ステップＳ３１で、第２の温度センサ１５により氷蓄熱槽２の出口における冷水温度ＴＢを検出する。
ステップＳ３２に進み、制御手段１００はＴＢが固定値と成るように電動ヒートポンプを制御し、次のステップＳ３３に進む。
【００６５】
ステップＳ３３において、制御手段１００はＴＢが固定値に達したか否かを判断する。固定値に達した場合は（ステップＳ３３においてＹＥＳ）、次のステップＳ３４に進み、達していない場合は（ステップＳ３３においてＮＯ）、ステップＳ３１に戻る。
【００６６】
ステップＳ３４において、第３の温度センサ４５により吸収冷温水機１０の入口温度ＴＩが計測され、ステップＳ３５に進む。ステップＳ３５では、制御手段１００は前記入口温度ＴＩに対して、吸収冷温水機１０の出口温度ＴＡが固定値に維持される様に運転を制御する。
次のステップＳ３６に進み、第２の温度センサ１４が吸収冷温水機１０の出口温度ＴＡを計測し、次のステップＳ３７に進む。
【００６７】
ステップＳ３７において、制御手段１００はＴＡが固定値、即ち第２の目標値に至ったか否かを判断する。ＴＡが固定値に至らない場合には（ステップＳ３７においてＮＯ）、ステップＳ３５に戻り、固定値に至った場合には（ステップＳ３７においてＹＥＳ）、制御を終了する。
【００６８】
係る実施形態によれば、吸収冷温水機１０の出口温度ＴＡが固定値に維持される様に制御するので、吸収冷温水機１０の負担が非常に小さくなる。
また、電動ヒートポンプを安定した負荷で稼動させることが出来る。
【００６９】
図１０は第５実施形態の全体構成を示す模式図である。
図１０において、吸収冷温水機１０の入口温度ＴＩは第３の温度センサ４５で計測され、氷蓄熱槽２の出口温度ＴＢは第２の温度センサ１５で計測される。
制御にあたっては、吸収冷温水機１０の入口温度ＴＩ及び氷蓄熱槽２の出口温度ＴＢを固定する様に、冷水ポンプ２７ｂの消費電力Ｗ３（或いは吐出量）を調節して、冷水流量を制御する。
【００７０】
係る制御について、図１０及び図１８を参照して、以下に説明する。
図１８において、先ず、図示しない手段により、冷房負荷Ｌを検出し（ステップＳ４１）、信号伝達ラインＳＳ１０を介して検出された冷房負荷に関するデータを制御手段１１０に伝達する。
【００７１】
制御手段１１０では、計測された冷房負荷に基いて、係る冷房負荷を賄うのに必要な冷水流量を決定する（ステップＳ４２）。
ここで、当該冷水流量は、吸収冷温水機１０の入口温度ＴＩ及び氷蓄熱槽２の出口温度ＴＢを、各々が所定の数値（当然、温度ＴＩの所定値と、温度ＴＢの所定値とは相違する）に維持され、且つ、計測された冷房負荷Ｌを賄えるような数値とされる。
係る冷水流量の決定については、各種の関数、特性図、マップなどにより行われる。
【００７２】
決定された冷水流量に基いて、制御手段１１０から信号伝達ラインＳＳ３を介して制御信号が冷水ポンプ２７ｂに発信される。具体的には、冷水ポンプ２７ｂの吐出流量或いは消費電力を決定するような制御信号が発信される（ステップＳ４３）。
冷水ポンプ２７ｂは、係る制御信号により、ステップＳ４２で決定された流量の冷水を吐出する様に制御されるのである（ステップＳ４３、Ｓ４４）。
【００７３】
この様に構成することにより、冷房負荷Ｌが低減し、負荷率が減少しても、冷水流量を適宜制御することにより、吸収冷温水機入口温度ＴＩ及び氷蓄熱槽出口温度ＴＢを一定に保ち、或いは、冷水温度差（ＴＢとＴＩとの温度差）を一定に保つことが可能となる。
換言すれば、部分負荷時において、冷水流量を変動させることにより、冷水ポンプ動力を低減することが可能となる。
【００７４】
吸収冷温水機１０の出口温度ＴＡを設定する態様については、図２或いは図４で示すのと同様に行なわれる。
また、冷房負荷Ｌが減少し、ステップＳ４２で決定された冷水流量が、吸収冷温水機１０や氷蓄熱槽２の運転に必要最低限の流量、或いは冷水ポンプ２７ｂで調節出来る最小流量の内、大きい方の流量を下回ってしまった場合には、図６、図７、図９と同様な制御を行なえば良い。
【００７５】
本発明のその他の実施形態として、図１２〜図１７で示す様に、前記電動ヒートポンプ１に代えて、冷熱媒体を蓄熱槽１２に供給し（１３Ｉ、１３Ｏ）冷熱を供給する様に構成されているブラインチラー１４と、ブラインチラー１４を夜間に（駆動軸１７を介して）駆動するための電動機１６と、ブラインチラー１４を（駆動軸１９を介して）昼間に駆動するための熱機関１８（ガスエンジンその他の内熱機関、ボイラー等の外熱機関を含む）を設けることが出来る。
【００７６】
その場合、吸収冷温水機２０（２０Ｂ〜２０Ｆ）を設け、冷房負荷Ｌで昇温された冷水を蒸発器３０により冷却して前記蓄熱槽１２に供給すると共に、ライン５０Ｉ、５０Ｏ（５２Ｉ、５２Ｏ、５４、５６、５８、６０Ｉ、６０Ｏ、６２、６４Ｉ、６４Ｏ）流過する各種排熱（排熱温水、排ガス等）が吸収冷温水機２０（２０Ｂ〜２０Ｆ）に投入される様にすることが出来る。
【００７７】
図１２〜図１７で示す様に構成すれば、昼間は電動機１６を使用せずに、熱機関１８によりブラインチラー１４を駆動する。昼間もブラインチラー１４が動くので、吸収冷温水機２０、２０Ｂ〜２０Ｆの負担もその分減少し、システム全体で、容量を減少できる。
【００７８】
また、昼間もブラインチラー１４から冷熱が蓄熱槽１２へ供給可能であるため、夜間のみ冷熱が供給される従来方式に比較して、蓄熱槽１２をコンパクトにすることが可能である。
【００７９】
しかも、熱機関１８の排熱を吸収冷温水機２０、２０Ｂ〜２０Ｆで有効利用することにより、システムの効率が向上する。
【００８０】
ここで、図１２で示す様に構成した場合、前記熱機関はガスエンジン１８であり、前記排熱は排熱温水であり、該排熱温水はライン５０Ｉ、５０Ｏを流れ、吸収冷温水機２０（シリーズフロータイプのガス焚き２重効用吸収冷温水機）の吸収器２６から再生器（高温再生器）２２に連通するラインＬ１ａに介装された排熱投入用熱交換器４０により、ラインＬ１ａを流過する吸収溶液と熱交換を行う。
【００８１】
或いは、図１３で示す様に構成した場合、前記熱機関はガスエンジン１８であり、前記排熱はライン５２Ｉ、５２Ｏを流過する排熱温水であり、該排熱温水は、その保有する熱量が、吸収冷温水機２０Ｂ（温水焚き単効用吸収冷温水機）の再生器２３内に貯留されている吸収溶液に投入されて当該吸収溶液を再生する。
【００８２】
また、図１４で示す様に構成した場合、前記熱機関はガスエンジン１８であり、前記排熱はライン５４を流過する排気ガスであり、該排気ガスは、吸収冷温水機２０Ｃ（シリーズフロータイプのガス焚き２重効用吸収冷温水機）の吸収器２６から再生器（高温再生器）２２に連通するラインＬ１ｂに介装された排熱投入用熱交換器４２により、ラインＬ１ｂを流過する吸収溶液と熱交換を行う。
【００８３】
図１５で示す様に構成した場合、前記熱機関はガスエンジン１８であり、前記排熱はライン５６を流過する排気ガスであり、該排気ガスは、その保有する熱量が、吸収冷温水機２０Ｄ（シリーズフロータイプの所謂「排ガス焚き」である２重効用吸収冷温水機）の再生器２３（高温再生器）内に貯留されている吸収溶液に投入されて当該吸収溶液を再生する。
【００８４】
図１６で示す様に構成した場合に、前記熱機関はガスエンジン１８であり、前記排熱はライン５８を流過する排気ガスであり、また、ライン６０Ｉ，６０Ｏを流過する排熱温水である。このライン５８と、ライン６０Ｉ，６０Ｏは、吸収冷温水機２０Ｅ（シリーズフロータイプのガス焚き２重効用吸収冷温水機）の吸収器２６から再生器２２(高温再生器)に連通するラインＬ１ｂ，Ｌ１ａに介装された排熱投入用熱交換器４２、４０に、各々連通している。そのため、排熱温水はラインＬ１ａを流過する吸収溶液と熱交換を行い、排ガスはラインＬ１ｂを流過する吸収溶液と熱交換を行う。
【００８５】
これに加えて、図１７で示す様に構成した場合、前記熱機関はガスエンジン１８であり、前記排熱はライン６２を流れる排気ガス及びライン６４Ｏ，６４Ｉを流れる排熱温水である。前記排気ガスが流れるライン６２は、吸収冷温水機２０Ｆ（シリーズフロータイプの排ガス焚き２重効用吸収冷温水機）の再生器２２  （高温再生器）に連通し、高温再生器２２内に貯留されている吸収溶液に排ガスが保有する熱量を投入して当該吸収溶液を再生する。そして、前記排熱温水が流れるライン６４Ｉ，６４Ｏは、吸収冷温水機２０Ｆの吸収器２６から高温再生器２２に連通するラインＬ１ａに介装された排熱投入用熱交換器４０に連通し、排熱温水とラインＬ１ａを流過する吸収溶液とで熱交換を行う。
【００８６】
図示の実施形態は、あくまでも例示であり、本発明の技術的範囲を限定する趣旨の記述ではない。
例えば、吸収冷温水機は、図示以外の種々のタイプが適用可能である。また、吸収冷温水機中の排熱投入位置も、図示の位置には限定されない。
【００８７】
【発明の効果】
本発明の作用効果を以下に列挙する。
（１）  エネルギ消費コストを最小に出来る。
（２）  １次エネルギ消費量を最小に出来る。
（３）  蓄熱槽の負担を低減出来る。
（４）  吸収冷温水機の負担を低減出来る。
（５）  吸収冷温水機の冷水出口温度を高くして、効率を向上させることが出来る。
（６）  部分負荷時において、冷水流量を変動させることにより、冷水ポンプ動力を低減することが出来る。
（７）  冷水循環系統の冷房機構入口における冷水温度（冷水入口温度）と、冷水循環系統の冷房機構出口における冷水温度（冷水出口温度）との差を大きくして、冷水大温度差が実現出来る。
（８）  冷水大温度差が可能となる結果として、冷水流量を減少しても冷房負荷に対処することが可能となり、冷水ポンプ容量を小さくして、冷水配管系を小径化することが出来ると共に、冷水搬送動力を節減することが出来る。
（９）  図１２〜図１７で示す様に構成すれば、昼間は熱機関によりブラインチラーを駆動出来るので、昼間における吸収冷温水機の負担が減少する。その結果として、冷房機構全体で、容量を減少出来る。
（１０）  図１２〜図１７で示す様に構成すれば、昼間もブラインチラーから冷熱が蓄熱槽へ供給可能であるため、夜間のみ冷熱が供給される従来方式に比較して、蓄熱槽をコンパクト化することが出来る。
（１１）  図１２〜図１７で示す様に構成すれば、熱機関の排熱を吸収冷温水機で有効利用出来るので、システムの効率が向上する。
【図面の簡単な説明】
【図１】本発明の第１実施形態の全体構成を示すブロック図。
【図２】本発明の第１実施形態の制御方法を示す制御フローチャート。
【図３】本発明の第２実施形態の全体構成を示すブロック図。
【図４】本発明の第２実施形態の制御方法を示す制御フローチャート。
【図５】本発明の第３実施形態の全体構成を示すブロック図。
【図６】本発明の第３実施形態であり、冷水出口温度を目標値に近づけるための電動ヒートポンプの制御を示す制御フローチャート。
【図７】本発明の第３実施形態であり、吸収冷温水機の出口温度を目標値に近づけるための電動ヒートポンプの制御を示す制御フローチャート。
【図８】本発明の第４実施形態の全体構成を示すブロック図。
【図９】本発明の第４実施形態の制御方法を示す制御フローチャート。
【図１０】本発明の第５実施形態の全体構成を示すブロック図。
【図１１】従来技術の冷房機構の全体構成を示すブロック図。
【図１２】本発明のその他一つ目の実施形態の全体構成を示すブロック図。
【図１３】本発明のその他二つ目の実施形態の全体構成を示すブロック図。
【図１４】本発明のその他三つ目の実施形態の全体構成を示すブロック図。
【図１５】本発明のその他四つ目の実施形態の全体構成を示すブロック図。
【図１６】本発明のその他五つ目の実施形態の全体構成を示すブロック図。
【図１７】本発明のその他六つ目の実施形態の全体構成を示すブロック図。
【図１８】本発明の第５実施形態の制御方法を示す制御フローチャート。
【符号の説明】
１・・・ヒートポンプ
２・・・氷蓄熱槽
３Ｉ、３Ｏ・・・冷媒ライン
１０・・・吸収冷温水機
１１、１２、１３・・・消費電力センサ
１４・・・温度センサ
２３・・・再生器
２６・・・吸収器
２７ｂ・・・冷水ポンプ
３０・・・蒸発器
４０・・・排熱投入用交換器
４３・・・負荷センサ
Ｌ・・・冷房負荷
ＬＬ１・・・冷水循環ライン
【図１】
0003846850.tif 000002
【図２】
0003846850.tif 000003
【図３】
0003846850.tif 000004
【図４】
0003846850.tif 000005
【図５】
0003846850.tif 000006
【図６】
0003846850.tif 000007
【図７】
0003846850.tif 000008
【図８】
0003846850.tif 000009
【図９】
0003846850.tif 000010
【図１０】
0003846850.tif 000011
【図１１】
0003846850.tif 000012
【図１２】
0003846850.tif 000013
【図１３】
0003846850.tif 000014
【図１４】
0003846850.tif 000015
【図１５】
0003846850.tif 000016
【図１６】
0003846850.tif 000017
【図１７】
0003846850.tif 000018
【図１８】
0003846850.tif 000019